【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち複数個の絵柄を視認可能とする表示窓と、
前記各周回体の回転を開始させるべく操作される始動操作手段と、
前記各周回体毎に設けられ、該各周回体を回転させる駆動手段と、
前記各周回体の回転を個別に停止させるべく操作される停止操作手段と、
前記始動操作手段の操作に基づいて前記各周回体の回転を開始させ、前記停止操作手段の操作に基づいて対応する周回体の回転を停止させるように、前記各駆動手段を駆動制御する駆動制御手段と、
前記各周回体が停止した際、前記表示窓から視認できる有効位置に前記絵柄によって形成される特定絵柄の組合せが成立した場合、遊技者に特典を付与する特典付与手段と、
各種情報を表示画面上に表示する補助表示手段と
を備えた遊技機において、
前記始動操作手段の操作に基づいて、前記各周回体のうち所定の周回体に付された絵柄配列を前記表示窓から視認できる範囲に停止させるよう前記表示画面上に指令表示するように、且つ該指令表示のなされた周回体と対応する停止操作手段の操作に基づいて、回転中の周回体のうち所定の周回体に付された絵柄配列を前記表示窓から視認できる範囲に停止させるよう前記表示画面上に指令表示するように、前記補助表示手段を指令表示制御する表示制御手段を備えたことを特徴とする遊技機。
【請求項２】
複数種の絵柄が周方向に付された複数の周回体と、
前記各周回体について各絵柄のうち複数個の絵柄を視認可能とする表示窓と、
前記各周回体の回転を開始させるべく操作される始動操作手段と、
前記各周回体毎に設けられ、該各周回体を回転させる駆動手段と、
前記各周回体の回転を個別に停止させるべく操作される停止操作手段と、
前記始動操作手段の操作に基づいて前記各周回体の回転を開始させ、前記停止操作手段の操作に基づいて対応する周回体の回転を停止させるように、前記各駆動手段を駆動制御する駆動制御手段と、
前記各周回体が停止した際、前記表示窓から視認できる有効位置に前記絵柄によって形成される特別遊技絵柄の組合せが成立した場合、遊技状態を遊技者に有利な特別遊技状態に移行させる特典を付与する特典付与手段と、
前記始動操作手段の操作に基づいて前記特別遊技絵柄の組合せを前記有効位置に停止させることが可能か否かの抽選を行う抽選手段と、
各種情報を表示画面上に表示する補助表示手段と
を備えた遊技機において、
少なくとも前記抽選手段の抽選結果が当選である場合に、前記各周回体のうち所定の周回体に付された絵柄配列を前記表示窓から視認できる範囲に停止させるよう前記表示画面上に指令表示するように、且つ該指令表示のなされた周回体と対応する停止操作手段の操作に基づいて、回転中の周回体のうち所定の周回体に付された絵柄配列を前記表示窓から視認できる範囲に停止させるよう前記表示画面上に指令表示するように、前記補助表示手段を指令表示制御する表示制御手段を備え、
該表示制御手段は、前記表示画面上に指令表示した絵柄配列が前記表示窓から視認できる範囲に停止した場合、前記抽選結果が当選であることを次ゲーム開始前までに教示するよう前記補助表示手段を表示制御することを特徴とする遊技機。
【請求項３】
周方向に周回すると共に、該周方向に複数種の絵柄が配列された複数の周回体と、
前記各周回体について各絵柄のうち複数個の絵柄を視認可能とする表示窓と、
前記各周回体の周回を開始させるべく操作される始動操作手段と、
前記各周回体毎に設けられ、該各周回体を周回させる駆動手段と、
前記各周回体の周回を個別に停止させるべく操作される停止操作手段と、
前記始動操作手段の操作に基づいて前記各周回体の周回を開始させ、前記停止操作手段の操作に基づいて対応する周回体の周回を停止させるように、前記各駆動手段を駆動制御する駆動制御手段と、
前記各周回体に付された絵柄によって形成される特定絵柄の組合せが前記表示窓から視認できる有効位置に成立した場合、遊技者に特典を付与する特典付与手段と、
各種情報を表示画面上に表示する補助表示手段と
を備えた遊技機において、
前記始動操作手段の操作に基づいて、前記各周回体のうち所定の周回体に付された絵柄配列を前記表示画面上に配列表示するように、且つ前記停止操作手段の操作後に、前記表示画面上に表示された配列表示を変化させる変化表示を行うように、前記補助表示手段を表示制御する表示制御手段を備えたことを特徴とする遊技機。
【請求項４】
周方向に周回すると共に、該周方向に複数種の絵柄が配列された複数の周回体と、
前記各周回体について各絵柄のうち複数個の絵柄を視認可能とする表示窓と、
前記各周回体の周回を開始させるべく操作される始動操作手段と、
前記各周回体毎に設けられ、該各周回体を周回させる駆動手段と、
前記各周回体の周回を個別に停止させるべく操作される停止操作手段と、
前記始動操作手段の操作に基づいて前記各周回体の周回を開始させ、前記停止操作手段の操作に基づいて対応する周回体の周回を停止させるように、前記各駆動手段を駆動制御する駆動制御手段と、
前記各周回体に付された絵柄によって形成される特定絵柄の組合せが前記表示窓から視認できる有効位置に成立した場合、遊技者に特典を付与する特典付与手段と、
各種情報を表示画面上に表示する補助表示手段と
を備えた遊技機において、
前記始動操作手段の操作に基づいて、前記各周回体のうち所定の周回体に付された絵柄配列を前記表示画面上に配列表示するように、且つ該配列表示のなされた周回体と対応する停止操作手段の操作に基づいて、前記表示画面上に表示された配列表示を変化させる変化表示を行うように、前記補助表示手段を表示制御する表示制御手段を備えたことを特徴とする遊技機。
【請求項５】
周方向に周回すると共に、該周方向に複数種の絵柄が配列された複数の周回体と、
前記各周回体について各絵柄のうち複数個の絵柄を視認可能とする表示窓と、
前記各周回体の周回を開始させるべく操作される始動操作手段と、
前記各周回体毎に設けられ、該各周回体を周回させる駆動手段と、
前記各周回体の周回を個別に停止させるべく操作される停止操作手段と、
前記始動操作手段の操作に基づいて前記各周回体の周回を開始させ、前記停止操作手段の操作に基づいて対応する周回体の周回を停止させるように、前記各駆動手段を駆動制御する駆動制御手段と、
前記各周回体に付された絵柄によって形成される特定絵柄の組合せが前記表示窓から視認できる有効位置に成立した場合、遊技者に特典を付与する特典付与手段と、
各種情報を表示画面上に表示する補助表示手段と
を備えた遊技機において、
前記始動操作手段の操作に基づいて、前記各周回体のうち所定の周回体に付された絵柄配列を前記表示画面上に配列表示するように、前記補助表示手段を配列表示制御する配列表示制御手段と、
前記配列表示を行う場合に、前記表示画面上に表示する絵柄配列を設定する配列表示設定手段と、
前記停止操作手段が操作されたか否かを確認する停止操作確認手段と、
該停止操作確認手段が前記停止操作手段の操作されたことを確認した場合、対応する周回体に付された絵柄のうち、前記表示窓から視認できる範囲に停止する絵柄配列を把握可能な停止位置把握手段と、
前記表示画面上に配列表示した絵柄配列と、前記停止位置把握手段の把握した絵柄配列とが一致するか否かを判別可能な停止結果判別手段と、
該停止結果判別手段の判別結果に基づいて、前記表示画面上に表示された絵柄配列を変化させるよう前記補助表示手段を変化表示制御する変化表示制御手段と
を備えたことを特徴とする遊技機。
【請求項６】
周方向に周回すると共に、該周方向に複数種の絵柄が配列された複数の周回体と、
前記各周回体について各絵柄のうち複数個の絵柄を視認可能とする表示窓と、
前記各周回体の周回を開始させるべく操作される始動操作手段と、
前記各周回体毎に設けられ、該各周回体を周回させる駆動手段と、
前記各周回体の周回を個別に停止させるべく操作される停止操作手段と、
前記始動操作手段の操作に基づいて前記各周回体の周回を開始させ、前記停止操作手段の操作に基づいて対応する周回体の周回を停止させるように、前記各駆動手段を駆動制御する駆動制御手段と、
前記各周回体に付された絵柄によって形成される特定絵柄の組合せが前記表示窓から視認できる有効位置に成立した場合、遊技者に特典を付与する特典付与手段と、
各種情報を表示画面上に表示する補助表示手段と
を備えた遊技機において、
前記始動操作手段の操作に基づいて、前記各周回体のうち所定の周回体に付された絵柄配列を前記表示画面上に配列表示するように、前記補助表示手段を配列表示制御する配列表示制御手段と、
前記配列表示を行う場合に、前記表示画面上に表示する絵柄配列を設定する配列表示設定手段と、
前記停止操作手段が操作されたか否かを確認する停止操作確認手段と、
該停止操作確認手段が前記停止操作手段の操作されたことを確認した場合、対応する周回体に付された絵柄のうち、前記表示窓から視認できる範囲に停止する絵柄配列を把握可能な停止位置把握手段と、
前記表示画面上に配列表示した絵柄配列と、前記停止位置把握手段の把握した絵柄配列とが一致するか否かを判別可能な停止結果判別手段と
を備え、
前記配列表示設定手段は、前記停止結果判別手段の判別結果に基づいて、回転中の周回体から次に前記表示画面上に表示する絵柄配列を設定し、
前記配列表示制御手段は、前記配列表示設定手段の設定した絵柄配列を前記表示画面上に表示するよう前記補助表示手段を配列表示制御することを特徴とする遊技機。